(57)【要約】【課題】  回転機器の耐振性を稼働状態に近い状態で評価でき、且つ回転機器の耐候性も評価できる、回転機器振動試験用マウントと回転機器の振動試験方法とを提供する。【解決手段】  回転機器を固定するスペースと、前記スペースに隣接して固定されたエアモータとを備え、振動台に固定される。【選択図】  図１
2007057451.tif 000002
【特許請求の範囲】
【請求項１】
回転機器を固定するスペースと、前記スペースに隣接して固定されたエアモータとを備え、振動台に固定されることを特徴とする回転機器振動試験用マウント。
【請求項２】
エアモータと回転機器とに掛け渡されてエアモータの回転動力を回転機器に伝達する無端ベルトの張力を調整するベルト張力調整機構を備えることを特徴とする請求項１に記載の回転機器振動試験用マウント。
【請求項３】
エアモータと回転機器とに掛け渡されてエアモータの回転動力を回転機器に伝達する無端ベルトの回転機器との係合部のベルトラップ角度を調整するベルトラップ角度調整機構を備えることを特徴とする請求項１又は２に記載の回転機器振動試験用マウント。
【請求項４】
エアモータは、吐出ポートに加圧空気供給ホースが接続されたスクロール型圧縮機であることを特徴とする請求項１乃至３の何れか１項に記載の回転機器振動試験用マウント。
【請求項５】
回転機器を固定するスペースと前記スペースに隣接して固定されたエアモータとを備える回転機器振動試験用マウントを振動台に固定し、回転機器を回転機器振動試験用マウントに固定し、エアモータの回転動力を回転機器に伝達する無端ベルトをエアモータと回転機器とに掛け渡し、エアモータを駆動源として回転機器を回転させつつ、振動台を作動させることを特徴とする回転機器の振動試験方法。
【発明の詳細な説明】
【技術分野】
【０００１】
本発明は、回転機器振動試験用マウント及び回転機器の振動試験方法に関するものである。
【背景技術】
【０００２】
車両空調装置用圧縮機等の回転機器の振動試験を行なう際には、回転機器を固定した回転機器振動試験用マウントを特許文献１に示すような振動台に固定し、振動台を作動させる。
従来の回転機器振動試験用マウントは、単に回転機器が固定されると共に振動台に固定される台に過ぎなかった。また従来の回転機器の振動試験方法は、回転機器振動試験用マウントを振動台に固定し、回転機器振動試験用マウントに回転機器を固定し、振動台を作動させて回転機器を単に振動させるものに過ぎなかった。
【特許文献１】特開２００５−０９１０７９
【発明の開示】
【発明が解決しようとする課題】
【０００３】
車両空調装置用圧縮機等の回転機器の耐振性を稼働状態に近い状態で評価すべく、且つ回転機器の耐候性も評価すべく、マイナス数十度℃の低温下で回転機器のクラッチローターや回転機器本体を回転させつつ回転機器を振動させる振動試験を行なう場合がある。従来の回転機器振動試験用マウントと従来の回転機器の振動試験方法では、上述のごとき振動試験を行なうことはできない。
本発明は上記問題に鑑みてなされたものであり、回転機器の耐振性を稼働状態に近い状態で評価でき、且つ回転機器の耐候性も評価できる、回転機器振動試験用マウントと回転機器の振動試験方法とを提供することを目的とする。
【課題を解決するための手段】
【０００４】
上記課題を解決するために、本発明においては、回転機器を固定するスペースと、前記スペースに隣接して固定されたエアモータとを備え、振動台に固定されることを特徴とする回転機器振動試験用マウントを提供する。
本発明に係る回転機器振動試験用マウントを振動台に固定し、当該マウントに回転機器を固定し、エアモータの回転動力を回転機器に伝達する無端ベルトをエアモータと回転機器とに掛け渡し、エアモータを駆動源として回転機器のクラッチローターや回転機器本体を回転させつつ振動台を作動させることにより、回転機器の耐振性を稼働状態に近い状態で評価することができる。回転機器のクラッチローターや回転機器本体を回転駆動するのに使用するエアモータは電動モータに比べて発熱量が遥かに少ないので、マイナス数十度℃の低温室内で振動試験を行なっても、エアモータの発熱は隣接する回転機器の温度に影響を与えない。従って、回転機器の耐振性に加えて、回転機器の耐候性も評価することができる。
【０００５】
本発明の好ましい態様においては、回転機器振動試験用マウントは、エアモータと回転機器とに掛け渡されてエアモータの回転動力を回転機器に伝達する無端ベルトの張力を調整するベルト張力調整機構を備える。
本発明の好ましい態様においては、回転機器振動試験用マウントは、エアモータと回転機器とに掛け渡されてエアモータの回転動力を回転機器に伝達する無端ベルトの回転機器との係合部のベルトラップ角度を調整するベルトラップ角度調整機構を備える。
無端ベルトの張力を種々に代えつつ、及び／又は無端ベルトの回転機器との係合部のベルトラップ角度を種々に代えつつ、振動試験を行なうことにより、回転機器の設置状態を最適化するための指針を得ることができる。
【０００６】
本発明の好ましい態様においては、エアモータは、吐出ポートに加圧空気供給ホースが接続されたスクロール型圧縮機である。
スクロール型圧縮機の吐出ポートに加圧空気供給ホースを接続し、加圧空気供給ホースを加圧空気供給源に接続することにより、スクロール型圧縮機をエアモータとして作動させることができる。市場で容易に入手可能なスクロール型圧縮機を利用して簡便にエアモータを構成することができる。
【０００７】
本発明においては、回転機器を固定するスペースと、前記スペースに隣接して固定されたエアモータとを備える回転機器振動試験用マウントを振動台に固定し、回転機器を回転機器振動試験用マウントに固定し、エアモータの回転動力を回転機器に伝達する無端ベルトをエアモータと回転機器とに掛け渡し、エアモータを駆動源として回転機器を回転させつつ、振動台を作動させることを特徴とする回転機器の振動試験方法を提供する。
本発明に係る試験方法によれば、回転機器の耐振性を稼働状態に近い状態で評価でき、且つ回転機器の耐候性も評価できる。
【発明の効果】
【０００８】
本発明に係る回転機器振動試験用マウントを振動台に固定し、当該マウントに回転機器を固定し、エアモータの回転動力を回転機器に伝達する無端ベルトをエアモータと回転機器とに掛け渡し、エアモータを駆動源として回転機器のクラッチローターや回転機器本体を回転させつつ振動台を作動させることにより、回転機器の耐振性を稼働状態に近い状態で評価することができる。回転機器のクラッチローターや回転機器本体を回転駆動するのに使用するエアモータは電動モータに比べて発熱量が遥かに少ないので、マイナス数十度℃の低温室内で振動試験を行なっても、エアモータの発熱は隣接する回転機器の温度に影響を与えない。従って、回転機器の耐振性に加えて、回転機器の耐候性も評価することができる。
【発明を実施するための最良の形態】
【０００９】
本発明の実施例に係る回転機器振動試験用マウント及び回転機器の振動試験方法を説明する。
図１に示すように、回転機器振動試験用マウントＡは、底板１と、底板１に立設固定された、正面板２と、正面板２の補強板３と、側面板４と、側面板４の補強板５とを備えている。底板１の、左右逆転コ字状に配設された正面板２、側面板４、補強板５により３方が囲まれたスペースに、試供品取り付けマウント６が固定されている。プーリー７が、正面板２により回転可能に支持されている。プーリー７の支持位置は、正面板２に形成された水平スリット２ａに沿って水平移動可能である。
底板１の、試供品取り付けマウント６に隣接するスペースに、エアモータ取り付けマウント８が固定されている。エアモータ取り付けマウント８の試供品取り付けマウント６から離隔する側の端部にボルト９の一端部が固定されている。ボルト９の他端部は、底板１の一端に固定されたベルトテンション板１０を貫通しており、ベルトテンション板１０を突き抜けた端部にナット１１が螺合している。エアモータ取り付けマウント８を挟持しマウント８の側面に相対摺動可能に当接する一対のガイド板１２が、底板１に固定されている。エアモータ取り付けマウント８に、エアモータとしてスクロール型圧縮機１３が固定されている。スクロール型圧縮機１３の図示しない吐出ポートに加圧空気供給ホース１４の一端が接続されている。
回転機器振動試験用マウントＡは、図示しない振動台に固定されており、試供品取り付けマウント６に、試供品である車両空調装置用圧縮機Ｂが固定されている。エアモータとして機能するスクロール型圧縮機１３の回転動力を車両空調装置用圧縮機Ｂに伝達する無端ベルトＣが、スクロール型圧縮機１３の出力軸に固定されたプーリー１３’と、プーリー７と、車両空調用圧縮機ＢのクラッチローターＢ’とに掛け渡されている。
【００１０】
車両空調装置用圧縮機Ｂの振動試験は以下の手順で行なわれる。
図示しない振動台を低温室に搬入固定する。回転機器振動試験用マウントＡを振動台に固定し、マウントＡの試供品取り付けマウント６に車両空調装置用圧縮機Ｂを固定し、スクロール型圧縮機１３の回転動力を車両空調装置用圧縮機Ｂに伝達する無端ベルトＣを、スクロール型圧縮機１３の出力軸に固定されたプーリー１３’と、プーリー７と、車両空調用圧縮機ＢのクラッチローターＢ’とに掛け渡す。低温室をマイナス数十度℃まで冷却し、加圧空気供給ホース１４を図示しない加圧空気供給源に接続して、スクロール型圧縮機１３に加圧空気を供給し、スクロール型圧縮機１３をエアモータとして作動させる。スクロール型圧縮機１３が形成するエアモータを駆動源として車両空調用圧縮機ＢのクラッチローターＢ’を回転させつつ、振動台を作動させてマウントＡを振動させ、ひいては車両空調用圧縮機Ｂを振動させ、車両空調用圧縮機Ｂの耐振性並びに耐候性を試験する。
ナット１１を回転させてボルト９を移動させ、ひいてはエアモータ取り付けマウント８を移動させることにより、無端ベルトＣの張力を可変制御することができる。エアモータ取り付けマウント８はガイド板１２により案内されてボルト８’で固定されるので、無端ベルトＣの張力は緩まず、無端ベルトＣが外れるおそれは無い。
プーリー７の支持位置を水平スリット２ａに沿って移動させることにより、無端ベルトＣの車両空調用圧縮機Ｂとの係合部、より具体的には無端ベルトＣのクラッチローターＢ’との係合部、のベルトラップ角度θを可変制御することができる。
【００１１】
上記説明から分かるように、回転機器振動試験用マウントＡを使用すれば、車両空調装置用圧縮機Ｂの耐振性を稼働状態に近い状態で評価することができる。車両空調用圧縮機ＢのクラッチローターＢ’を回転駆動するのに使用するエアモータは電動モータに比べて発熱量が遥かに少ないので、マイナス数十度℃の低温室内で振動試験を行なっても、エアモータの発熱は隣接する車両空調用圧縮機Ｂの温度に影響を与えない。従って、空調装置用圧縮機Ｂの耐振性に加えて、空調装置用圧縮機Ｂの耐候性も評価することができる。
【００１２】
無端ベルトＣの張力を種々に代えつつ、及び／又は無端ベルトＣのクラッチローターＢ’との係合部のベルトラップ角度θを種々に代えつつ、振動試験を行なうことにより、車両空調装置用圧縮機Ｂの設置状態を最適化するための指針を得ることができる。
【００１３】
スクロール型圧縮機１３の吐出ポートに加圧空気供給ホース１４を接続し、加圧空気供給ホース１４を加圧空気供給源に接続することにより、スクロール型圧縮機１３をエアモータとして作動させることができる。市場で容易に入手可能なスクロール型圧縮機１３を利用して簡便にエアモータを構成することができる。
【００１４】
上記実施例では、試供品取り付けマウント６を底板１に固定したが、試供品取り付けマウント６を側面板４に固定しても良い。
【産業上の利用可能性】
【００１５】
本発明は、車両空調用圧縮機の振動試験に限らずオルタネーター、テンションプーリー等の各種回転機器の振動試験に利用可能である。
【図面の簡単な説明】
【００１６】
【図１】本発明の実施例に係る回転機器振動試験用マウントの構造図である。（ａ）は上面図であり、（ｂ）は正面図である。
【符号の説明】
【００１７】
Ａ  回転機器振動試験用マウント
Ｂ  車両空調用圧縮機
Ｃ  無端ベルト
１  底板
６  試供品取り付けマウント
７  プーリー
８  エアモータ取り付けマウント
１３  スクロール型圧縮機
【図１】
2007057451.tif 000003